(57)【要約】【課題】白熱電球やハロゲン電球の配光に近づけることができるＬＥＤ電球を提供する。【解決手段】後端に口金を備えたホルダー２内にＬＥＤ光源部１を収容し、該ホルダー２の前端に形成された開口３を覆うためのカバー部材４を備えているＬＥＤ電球であって、前記カバー部材４が、前記ホルダー２の前端から前方側に延びる側壁部１９を備え、該側壁部１９が、前記ＬＥＤ光源１からの照射光を外部へ透過可能に構成されている。【選択図】  図４
0003164202.tif 000002
【実用新案登録請求の範囲】
【請求項１】
後端に口金を備えたホルダー内にＬＥＤ光源部を収容し、該ホルダーの前端に形成された開口を覆うためのカバー部材を備えているＬＥＤ電球であって、
前記カバー部材が、前記ホルダーの前端から前方側に延びる側壁部を備え、該側壁部が、前記ＬＥＤ光源からの照射光を外部へ透過可能に構成されていることを特徴とするＬＥＤ電球。
【請求項２】
前記側壁部が、光透光性を有する材料から構成されていることを特徴とする請求項１に記載のＬＥＤ電球。
【請求項３】
前記カバー部材が、前記ＬＥＤ光源部からの照射光の照射角を変更するためのレンズを一体化したレンズカバー部と、該レンズカバー部を前記ホルダー側へ押し付けて固定するための固定カバー部とを備えていることを特徴とする請求項２に記載のＬＥＤ電球。
【請求項４】
前記固定カバー部が、前記側壁部と、該側壁部の前端から径方向中心部側へ延出される環状部とを備え、該環状部の内側縁が前記レンズカバー部を前記ホルダー側へ押し付けるための押圧部を構成していることを特徴とする請求項３に記載のＬＥＤ電球。
【考案の詳細な説明】
【技術分野】
【０００１】
本考案は、光源部にＬＥＤ（発光ダイオード）を用いて構成されるＬＥＤ電球に関する。
【背景技術】
【０００２】
近年、フィラメント電球に代わって、寿命が長く、しかも消費電力が少ないＬＥＤ（発光ダイオード）を光源としたＬＥＤ電球が多く採用されるようになってきている。このＬＥＤ電球としては、例えば、後端に口金を備え、金属製のホルダー内にＬＥＤ光源部が収容され、ＬＥＤ光源部が収容されたホルダーの前端に形成された開口を、円板状の透明なカバー部材により覆ったものが既に提案されている（例えば、特許文献１参照）。
【先行技術文献】
【特許文献】
【０００３】
【特許文献１】特開２００９−９３９２６号公報
【考案の概要】
【考案が解決しようとする課題】
【０００４】
一般的にこの種のＬＥＤ電球は、吊下型の照明器具やダウンライト等に使用される白熱電球やハロゲン電球等が装着されているソケットに装着されて使用されることになる。このため、白熱電球やハロゲン電球の配光にＬＥＤ電球の配光を近づける必要がある。しかし、特許文献１では、ＬＥＤ光源部が金属製のホルダーに完全に覆われた状態であるため、ＬＥＤ光源から横側に広がる照射光がホルダーの側壁で遮断されてしまう。このため、ＬＥＤ光源からの照射光は、カバー部材を通して前方側へしか照射されず、白熱電球やハロゲン電球の配光に近づけることができない不都合があった。
【０００５】
そこで、本考案は、かかる事情に鑑みてなされたもので、白熱電球やハロゲン電球の配光に近づけることができるＬＥＤ電球を提供することを課題とする。
【課題を解決するための手段】
【０００６】
本考案に係るＬＥＤ電球は、後端に口金を備えたホルダー内にＬＥＤ光源部を収容し、該ホルダーの前端に形成された開口を覆うためのカバー部材を備えているＬＥＤ電球であって、前記カバー部材が、前記ホルダーの前端から前方側に延びる側壁部を備え、該側壁部が、前記ＬＥＤ光源からの照射光を外部へ透過可能に構成されていることを特徴とする。
【０００７】
本考案によれば、ＬＥＤ光源からの照射光がカバー部材の側壁部を透過して外部へ照射される。外部へ照射された光は、ＬＥＤ電球の横側へ照射する光の他、ＬＥＤ電球の後側へ照射する光があり、ＬＥＤ電球の配光を白熱電球やハロゲン電球の配光に近づけることができる。
【０００８】
また、本考案に係るＬＥＤ電球は、前記側壁部が、光透光性を有する材料から構成されていてもよい。
【０００９】
かかる構成によれば、ＬＥＤ光源からの照射光が、光透光性を有する材料からなる側壁部を透過して外部へ側壁部の周方向全域に亘って照射されることから、例えば、側壁部に光を透過する貫通孔やスリットを形成する場合に比べて光を周方向に均一に照射することができる。
【００１０】
また、本考案に係るＬＥＤ電球は、前記カバー部材が、前記ＬＥＤ光源部からの照射光の照射角を変更するためのレンズを一体化したレンズカバー部と、該レンズカバー部を前記ホルダー側へ押し付けて固定するための固定カバー部とを備えた構成であってもよい。
【００１１】
かかる構成によれば、レンズカバー部と固定カバー部とが別々に備えられていることから、レンズカバー部を例えば拡散角度の異なる他のレンズカバー部に取り替えることによって、ＬＥＤ光源部からの照射光の照射角を容易に変更することができる利点がある。
【００１２】
また、本考案に係るＬＥＤ電球は、前記固定カバー部が、前記側壁部と、該側壁部の前端から径方向中心部側へ延出される環状部とを備え、該環状部の内側縁が前記レンズカバー部を前記ホルダー側へ押し付けるための押圧部を構成していてもよい。
【００１３】
かかる構成によれば、固定カバー部を装着するだけで、固定カバー部の押圧部がレンズカバー部をホルダー側へ押し付けて固定することができ、レンズカバー部と固定カバー部とを別々に固定する場合に比べて、固定作業を迅速に行える。
【考案の効果】
【００１４】
以上の如く、本考案に係るＬＥＤ電球によれば、側壁部を、前記ＬＥＤ光源からの照射光が外部へ透過可能となるように構成することによって、ＬＥＤ光源からの照射光をカバー部材の側壁部を通してＬＥＤ電球の横側の他、ＬＥＤ電球の後側へも照射することができ、ＬＥＤ電球の配光を白熱電球やハロゲン電球の配光に近づけることができるＬＥＤ電球を提供することができる。
【図面の簡単な説明】
【００１５】
【図１】本考案のＬＥＤ電球の斜視図を示す。
【図２】同ＬＥＤ電球の正面図を示す。
【図３】同ＬＥＤ電球の要部を示す図であって、（ａ）はＬＥＤ電球を構成する固定カバー部の平面図、（ｂ）は同固定カバー部の底面図、（ｃ）はＬＥＤが収容されたホルダーの平面図を示す。
【図４】同ＬＥＤ電球の上端部の図であって、（ａ）は組付ける直前の状態を示す縦断側面図、（ｂ）は組付け後の縦断側面図を示す。
【考案を実施するための形態】
【００１６】
以下、本考案に係るＬＥＤ電球について、図１〜図４を参酌して説明する。このＬＥＤ電球は、白熱電球やハロゲン電球のソケットにねじ込む（装着する）だけで電球として使用することができるように構成されている。また、本考案に係るＬＥＤ電球は、調光ユニットを備える照明装置に取り付けられることによって、２０％〜１００％の調光が行える構成を実現できる。尚、図１、図２及び図４（ａ），（ｂ）において光が照射される側、つまり紙面において上側をＬＥＤ電球の上側とし、紙面において下側をＬＥＤ電球の下側として説明する。
【００１７】
ＬＥＤ電球は、図１及び図２に示すように、ＬＥＤ光源部１（図３（ｃ）及び図４（ａ），（ｂ）参照）を収容するホルダー２と、ＬＥＤ光源部１の上方側（前方側）となるホルダー２の上端（前端）に形成された開口３（図４（ａ）参照）を閉じるカバー部材４とを備えている。また、ＬＥＤ光源部１の下方側（後方側）となるホルダー２の下端（後端）に、電力が供給される口金５を備えている。口金５を図示していないソケットにねじ込むことによって、ＬＥＤ電球が固定されるとともにソケットを通して電力が供給されて、ＬＥＤ電球から光を照射することができるようになっている。尚、括弧書きの方向は、ＬＥＤ光源部１から見た方向を記載し、ＬＥＤ光源部１の前方を前方側とし、ＬＥＤ光源部１の後方を後方側としている。
【００１８】
ＬＥＤ光源部１は、図３（ｃ）に示すように、４個の発光ダイオード（ＬＥＤ）６とこれら発光ダイオード６が取り付けられる基板７とを備えている。４個の発光ダイオード６は、基板７に縦横に等間隔を置いて配置されている。
【００１９】
発光ダイオード６は、チップ型の発光ダイオードからなり、また、発光ダイオード６の色としては、白色の他、赤色や青色あるいは緑色等、どのような色であってもよい。これら発光ダイオード６の色に合わせてカバー部材４の色を着色することが好ましい。
【００２０】
基板７は、一端が切り欠かれた切欠部７Ａを有するほぼ円形で板状に構成されており、その切欠部７Ａとホルダー２の内面との隙間８を発光ダイオード６に対する電力供給線９，１０の配設空間として利用している。また、基板７の表面の４箇所には、後述するレンズカバー部１１の脚部１２が係止する位置決め用の円形の凹部１３が形成されている。また、基板７の前面（上面）には、耐光性、耐熱性及び電気絶縁性を有する白色の合成樹脂（例えばポリブチレンテレフタレート）がコーティングされ、基板７を発光ダイオード６からの光を反射させるための反射体として機能させている。
【００２１】
ホルダー２は、アルミダイキャスト製（各種の金属あるいは耐熱性を有する合成樹脂材料でもよい）でなり、その長手方向（紙面の上下方向）に所定間隔を置いて放熱性やデザイン性の向上を目的とした多数の溝１４Ｍが外面に形成され、かつ、下端側（後端側）ほど径が小さくなるように絞り込まれた断面が円形に構成されたホルダー本体部１４と、ホルダー本体部１４に連結され、下端（後端）に口金５を備える小径部１５とを備えている。
【００２２】
小径部１５は、下端側（後端側）ほど径が小さくなるように絞り込まれた絞込部１５Ａと絞込部１５Ａから下端側（後端側）へ延出された円筒状部１５Ｂと、円筒状部１５Ｂから下端側（後端側）ほど径が小さくなるように絞り込まれた第２の絞込部１５Ｃとを備えている。
【００２３】
カバー部材４は、光透光性を有する材料でなり、図１及び図４（ａ），（ｂ）に示すように、具体的には。前記ＬＥＤ光源部１からの照射光の照射角を変更するための４個の光拡散用のレンズ１６を一体化した透明な合成樹脂製（ガラス製でもよい）のレンズカバー部１１と、該レンズカバー部１１を前記ホルダー２側へ押し付けて固定するための半透明（透明でもよい）な合成樹脂製（ガラス製でもよい）の固定カバー部１７とを備えている。
【００２４】
レンズカバー部１１は、ホルダー２の開口３をほぼ覆うための円形で板状の円盤部１８と、円盤部１８の下面（後面）にＬＥＤ光源部１に向かうほど先細り形状となる４個のレンズ１６及びレンズ１６の外周部近傍に位置させてＬＥＤ光源部１に向かって延出された４本の円柱状の脚部１２とを備えている。４本の脚部１２の下端（後端）は、レンズ１６の下端（後端）よりもＬＥＤ側へ延びるとともに下端（後端）から更にＬＥＤ側へ延びる脚部１２よりも細くなった円柱部１２Ａを備えている。円柱部１２Ａは、前記凹部１３に差し込まれてレンズカバー部１１の位置決めを行う位置決め部材として用いることができるだけでなく、焦点距離を合わせるために発光ダイオード６に対するレンズ１６の光入射面との距離を予め決められた距離に設定するための係止部として用いることができる。尚、図４（ａ），（ｂ）において分かり易くするために、凹部１３の直径を円柱部１２Ａの直径に比べて大きく設定しているが、実際には円柱部１２Ａの直径に対して凹部１３の直径が僅かに大きく設定されている。
【００２５】
固定カバー部１７は、図３（ａ），（ｂ）及び図４（ａ），（ｂ）に示すように、ホルダー２の上端（前端）から上方側（前方側）に延びる環状の側壁部１９と、側壁部１９の上端（前端）から径方向中心部側へ延出される板状で中央部が貫通された孔が形成されたドーナツ状の環状部２０とを備え、環状部２０の内側縁２０Ｂがレンズカバー部１１をホルダー側へ押し付けるための押圧部を構成している。
【００２６】
側壁部１９は、周方向全域に亘るように構成され、ＬＥＤ光源部１側となる下端（後端）に、周方向に等間隔を置いて４個の通気孔（ホルダー２の内部に溜まった熱を外部へ排出する目的の孔）１９Ａ（図１及び図３（ｂ）参照）が切欠き形成されている。また、側壁部１９の内面の所定箇所に、ホルダー２に形成された切欠き２Ａ（図３（ｃ）参照）に係止してホルダー２に対して固定カバー部１７を位置決めするための突起１９Ｔ（図３（ｂ）参照）が形成されている。また、側壁部１９は、ホルダー２の上端（前端）の外面に周方向全周に亘って形成された段部２Ｂに外側から嵌り込んで位置決めされる。
【００２７】
環状部２０は、ホルダー２の上端面に下面（後面）が当接する環状の外側部分２０Ａと、外側部分２０Ａの下面（後面）よりも上方に位置する下面（後面）を有し、前記のようにレンズカバー部１１をホルダー側へ押し付ける内側縁２０Ｂとを備えている。外側部分２０Ａの前端面（上端面）には、周方向に所定間隔を置いて表面から凹んだほぼ矩形状の凹部２０Ｃが形成されている。この凹部２０Ｃを形成することによって、デザイン性を高めることができるだけでなく、光の放出方向をいろんな方向へ変更して拡散性を高めることができるようにしている。
【００２８】
また、外側部分２０Ａの周方向において所定間隔を置いて４箇所にビス２１を貫通させるための貫通孔２２が形成されている。従って、ホルダー２の上端に固定カバー部１７を嵌め込んだ状態において、ビス２１を貫通孔２２に貫通させてからホルダー２の上端部（前端部）に周方向の４箇所に突出させた突出部２Ｔの中央部に形成のネジ孔２Ｎにビス２１をねじ込むことによって、固定カバー部１７をホルダー２に固定することができるように構成されている。
【００２９】
貫通孔２２は、図４（ａ）に示すように、ビス２１の軸部２１Ａが挿通可能となる小径部２２Ａと、ビス２１の頭部２１Ｂの一部が入り込むべく小径部２２Ａよりも大きな径に設定された大径部２２Ｂとを備えている。
【００３０】
次に、ＬＥＤ電球の組立順序について説明する。まず、図４（ａ）に示すように、ホルダー２内に収容された基板７の４個の凹部１３（図３（ｃ）参照）に４本の脚部１２の係止部１２Ａを係止して基板７上にレンズカバー部１１を位置決め固定する。このとき、レンズカバー部１１の円盤部１８が、ホルダー２の上端（前端）から上方（前方）へ突出した状態になっている。
【００３１】
続いて、固定カバー部１７の側壁部１９を、ホルダー２の上端（前端）の段部２Ｂに外嵌する。このとき、レンズカバー部１１の円盤部１８が、外側部分２０Ａの内側面２０ａと内側縁２０Ｂの下面２０ｂとで形成される段部（図４（ａ）参照）に嵌り込んで移動不能に固定される。また、４本の脚部１２によってレンズカバー部１１のレンズ１６の光入射面と発光ダイオード６の上端（前端）とが設定距離に維持された状態になる。
【００３２】
その後、４本のビス２１を４個の貫通孔２２に順次挿入してからホルダー２の突出部２Ｔのネジ孔２Ｎにねじ込むことによって、固定カバー部１７をホルダー２に固定してＬＥＤ電球の組立を完了することができる。
【００３３】
このように組み立てられたＬＥＤ電球は、図２及び図４（ｂ）に示すように、発光ダイオード６から照射された光が、レンズカバー部１１を通して前方側へ放出されるとともに、一部の光が、円盤部１８を通して固定カバー部１７へ伝達され、側壁部１９を通して横側及び後側へ放出されることで、いろんな方向へ光を照射することができるようになっている。このようにいろんな方向に光を照射することができることから、白熱電球やハロゲン電球の配光に近づけることができ、部屋全体を明るく照らすことができるＬＥＤ電球とすることができる。
【００３４】
また、レンズカバー部１１と固定カバー部１７とを別々の部材から構成することによって、レンズカバー部１１を拡散角度の異なる他のレンズカバー部に取り替えることによって、ＬＥＤ光源部１からの照射光の照射角を容易に変更することができる。また、固定カバー部１７を装着するだけで、固定カバー部１７の押圧部２０Ｂがレンズカバー部１１をホルダー側へ押し付けて固定することができることから、レンズカバー部１１と固定カバー部１７とを別々に固定する場合に比べて、固定作業を迅速に行える。
【００３５】
尚、本考案に係るＬＥＤ電球は、上記実施形態に限定されるものではなく、本考案の要旨を逸脱しない範囲で種々の変更が可能である。
【００３６】
例えば、発光ダイオードとしては、チップ型の他、レンズを備える砲弾型を用いてもよい。砲弾型の発光ダイオードを用いる場合には、レンズカバー部１１を省略することも可能である。尚、発光ダイオードの数は、必要に応じて変更することができる。また、レンズカバー部１１を構成するレンズ１６としては、光を拡散するためのレンズを用いてもよいし、また光を集光させるための集光レンズ等を用いてもよい。また、レンズに、蒲鉾状のシリンドリカルレンズ等を用いてもよいし、また複数のレンズを組み合わせた複合レンズを用いてもよい。
【００３７】
前記実施形態では、カバー部材４が、レンズカバー部１１と固定カバー部１７との２個の部材から構成したが、１つの部材から構成してもよいし、また、３個以上の部材から構成することもできる。
【００３８】
また、前記実施形態では、カバー部材４をホルダー２にビス２１を用いて固定する構成としたが、ホルダー２に孔等からなる被係止部を備えさせ、この被係止部に係止する係止部をカバー部材４に備えさせた係止機構によりカバー部材４をホルダー２に着脱自在に固定してもよいし、場合によっては、接着剤等によりカバー部材４をホルダー２に着脱不能に固定してもよい。
【００３９】
また、前記実施形態では、側壁部１９を光透光性を有する材料から構成することによって、側壁部１９の周方向全域に亘って光を均一に照射することができるようにしたが、例えば光を透過しない材料で構成し、その側壁部の周方向に所定間隔を置いて光を透過させることができる貫通孔やスリットを多数設けて実施することもできる。
【符号の説明】
【００４０】
１…ＬＥＤ光源部、２…ホルダー、２Ａ…切欠き、２Ｂ…段部、２Ｎ…ネジ孔、３…開口、４…カバー部材、５…口金、６…発光ダイオード、７…基板、７Ａ…切欠部、８…隙間、８Ｋ…貫通孔、９，１０…電力供給線、１１…レンズカバー部、１２…脚部、１２Ａ…円柱部、（係止部）、１３…凹部、１４…ホルダー本体部、１４Ｍ…溝、１５…小径部、１５Ａ…絞込部、１５Ｂ…円筒状部、１５Ｃ…第２絞込部、１６…レンズ、１７…固定カバー部、１８…円盤部、１９…側壁部、１９Ａ…通気孔、１９Ｔ…突起、２０…環状部、２０Ａ…外側部分、２０Ｂ…内側縁（押圧部）、２０ａ…内側面、２０ｂ…下面、２１…ビス、２１Ａ…軸部、２１Ｂ…頭部、２２…貫通孔、２２Ａ…小径部、２２Ｂ…大径部
【図１】
0003164202.tif 000003
【図２】
0003164202.tif 000004
【図３】
0003164202.tif 000005
【図４】
0003164202.tif 000006